(57)【要約】【課題】  高速シャッタを用いたとしても輝度不足が発生しにくい高感度特性を持つ、低廉な受光ユニット、およびその低廉な受光ユニットを配備することでコストアップを抑えた撮影装置を提供する。【解決手段】  第１のプリズム１１ａと第２のプリズム１２ａの面同士が接合されるようにして張り合わせる。その接合面１１にダイクロイックミラー１３ａを挟み込んでそのダイクロイックミラー１３ａによりＧ光のみを反射させる。その反射光（Ｇ光）が感度良く第１の撮像素子１１１ａで受光される。このように人間の眼と同様の視感度特性を持つ、低廉な受光ユニットを構成してその低廉な受光ユニット１０ａを撮影装置に配備する。【選択図】  図１
2006080986.tif 000002
【特許請求の範囲】
【請求項１】
入射光を緑色波長帯の反射光と赤色波長帯および青色波長帯の透過光とに分離する色分離ミラーと、
前記色分離ミラーの反射光を受光して緑色用の画像信号を生成する第１の撮像素子と、
前記色分離ミラーの透過光を赤色波長帯と青色波長帯とに分けて受光して赤色用の画像信号および青色用の画像信号を生成する第２の撮像素子とを備えたことを特徴とする受光ユニット。
【請求項２】
前記第１の撮像素子がＣＭＯＳ撮像素子であることを特徴とする請求項１記載の受光ユニット。
【請求項３】
撮影光学系を備え、該撮影光学系を経由して入射してきた被写体光を捉えて画像信号を生成する撮影装置において、
前記撮影光学系を経由して入射してきた被写体光を緑色波長帯の反射被写体光と赤色波長帯および青色波長帯の透過被写体光とに分離する色分離ミラー、該反射被写体光を受光して緑色用の画像信号を生成する第1の撮像素子、および該透過被写体光を赤色波長帯と青色波長帯とに分けて受光して赤色用の画像信号と青色用の画像信号を生成する第２の撮像素子を有する受光ユニットを備えたことを特徴とする撮影装置。
【請求項４】
前記第１の撮像素子で得られた画像信号を基に前記撮影光学系のピント調整を行なう測距装置を備えたことを特徴とする請求項３記載の撮影装置。
【請求項５】
前記第１の撮像素子がＣＭＯＳ撮像素子であることを特徴とする請求項３記載の撮影装置。
【請求項６】
前記測距装置は、前記ＣＭＯＳ撮像素子から該ＣＭＯＳ撮像素子の被写体光の受光領域のうちの１つもしくは複数の部分領域に対応した部分画像信号のみを読み出し該部分画像信号に基づいて前記撮影光学系のピント調整を行なうものであることを特徴とする請求項３記載の撮影装置。
【請求項７】
この撮影装置は、前記撮影光学系と前記受光ユニットとを有するカメラヘッドと、該カメラヘッドが着脱自在に装着され該カメラヘッドから画像信号を受け取って信号処理を行なうカメラ本体とを備えた撮影装置であることを特徴とする請求項３記載の撮影装置。
【請求項８】
前記カメラヘッドが、前記第１の撮像素子で得られた画像信号を基に前記撮影光学系のピント調整を行なう測距装置を備えたものであることを特徴とする請求項７記載の撮影装置。
【発明の詳細な説明】
【技術分野】
【０００１】
本発明は、２板式の受光ユニット、およびその受光ユニットを備えた撮影装置に関する。
【背景技術】
【０００２】
被写体光を受光して被写体光に基づくカラー画像を表示する場合には、被写体光を光の３原色であるＲ色、Ｇ色、Ｂ色に分離してそれぞれの色に対応する画像信号を作成してから、表示画面上に二次元的に配列されている、Ｒ、Ｇ、Ｂに対応する各素子それぞれをそれらの画像信号で駆動することによって表示画面上にカラー画像を表示している。
【０００３】
被写体光をＲ色，Ｇ色、Ｂ色の３原色に分離するにあたって単板式の受光ユニットにあっては１つの撮像素子の受光面に色分光用のＲ、Ｇ、Ｂフィルタを順に配列したり、３板式の受光ユニットにあっては分光用の色分離ミラー（色分離ミラーの一つであるダイクロイックミラーが良く用いられるので以降ダイクロイックミラーという）を３つの撮像素子それぞれの前段に配置したりしている（例えば特許文献１〜２参照）。
【０００４】
上記単板式の受光ユニットは、Ｒ，Ｇ，Ｂの各色フィルタを用いて色の分離を行なっているため、色フィルタでの透過損により撮像素子の感度が低下するという欠点を持つものの、比較的構成が簡略であることからデジタルカメラなどによく用いられていて、後者の複数板式のものにおいては、部品点数が増え構成が複雑になって若干コスト高を招くという欠点を持つものの、色フィルタを用いずにダイクロイックミラーを用いて撮像素子に被写体を結像させることにより高感度の画像信号を得ることができることから放送用のカメラなどに用いられている。
【０００５】
さらにこのダイクロイックミラーを通過して３つの撮像素子それぞれの受光面に到達する分光（Ｒ光、Ｇ光、Ｂ光）それぞれが撮像素子の受光面で感度良く受光されるように３つの撮像素子の受光面それぞれにＲ光、Ｇ光，Ｂ光の反射を防止する反射防止膜を形成することにより受光感度をアップさせたものもある（例えば特許文献３参照）。
【０００６】
ところで単板式の受光ユニットを備えた撮影装置では、高速シャッタを用いて撮影を行なおうとすると撮像素子の感度低下によって露光時間が足りずに輝度不足が発生してしまう場合がある。そこで高速シャッタを用いたとしても充分な光量が撮像素子の受光面に与えられるように、単板式のものよりも感度の良い３板式のものを、単板式の受光ユニットの代わりに用いることが考えられる。しかし、３板式の受光ユニットを用いると、コスト高を招いてしまう。
【特許文献１】特開平６−２８１８８１号公報
【特許文献２】特開２０００−２０１２９０号公報
【特許文献３】特開２００３−３０９８５８号公報
【発明の開示】
【発明が解決しようとする課題】
【０００７】
本発明は、上記事情に鑑み、高速シャッタを用いたとしても輝度不足が発生しにくい高感度特性を持つ、低廉な受光ユニット、およびその低廉な受光ユニットを配備することでコストアップを抑えた撮影装置を提供することを目的とする。
【課題を解決するための手段】
【０００８】
上記目的を達成する本発明の受光ユニットは、入射光を緑色波長帯の反射光と赤色波長帯および青色波長帯の透過光とに分離するダイクロイックミラーと、
上記ダイクロイックミラーの反射光を受光して緑色用の画像信号を生成する第１の撮像素子と、
上記ダイクロイックミラーの透過光を赤色波長帯と青色波長帯とに分けて受光する第２の撮像素子とを備えたことを特徴とする。
【０００９】
周知のことではあるが、被写体光はおよそ４０００Åからおよそ７５００Å位までの間の波長を持つ可視光により構成され、その可視光のうちの５５００Å程度の緑色波長帯の光が視感度の最も高い光になるといわれている。
【００１０】
そこで、上記本発明の受光ユニットではその人間の眼の視感度の最も高い光であると言われている緑色波長帯の光のみをダイクロイックミラーにより分離するようにして、人間の眼の視感度特性に近い特性を持つ受光ユニットを構成しようとしている。
【００１１】
上記構成では、緑色波長帯の光のみが分離される訳であるから、これをそのまま上記第１の撮像素子で受光すれば、色フィルタを透過させる必要がないので緑色波長帯の光を感度良く受光することができる。この緑色波長帯の光が最も視感度が高い訳であるから、この緑色波長帯の光を基に上記第２の撮像素子で受光した赤色波長帯の光と青色波長帯の光とを加色混合するような構成にすれば、人間の眼で見た視感度の特性に近い受光ユニットを構成することができるようになる。
【００１２】
従って上記受光ユニットによれば、単板式の欠点である感度の低下を補い、かつ３板式の欠点であるコスト高を抑制した高感度な受光ユニットが実現される。そうすると、いままでの単板式のもののように高速シャッタを用いても輝度不足が発生しにくく、かつ３板式のものを用いるよりは遥かに低廉な受光ユニットが実現される。
【００１３】
また、波長の短い青色波長帯の光から波長の長い赤色波長帯の光までを全波長に亘って積分していくと輝度信号が得られることも周知のことであるが、上記のように緑色波長帯の光の感度が高く取れる場合には、積分において赤色波長帯の光、青色波長帯の光の寄与率が低下して緑色波長帯の光の範囲の波長区間のみで積分を行なってもほぼ全体を積分したのと同じ積分値が得られたものとして扱える。つまり、上記第１の撮像素子で生成した画像信号を輝度信号として扱うことができるようになるのである。そうするとその第１の撮像素子で生成した画像信号のみを輝度信号として用いたとしても正確な測距を行なうことができる。
【００１４】
ここで、上記第１の撮像素子がＣＭＯＳ撮像素子であることが好ましい。
【００１５】
このように上記第１の撮像素子がＣＭＯＳ撮像素子であると、独立に様々な領域にある画素の読み出しが行なえる。そうすると第１の撮像素子で生成した画像信号に基づいて多点測距などが行なえるようにもなり、上述の第１の撮像素子で生成した画像信号が輝度信号としても扱えるということが最大限に活用される。
【００１６】
このような受光ユニットを撮影装置に配備することで、３板式のものに近い高感度、高解像度の特性はもとより、高精度の測距機能を持つ撮影装置が実現される。また、上記したように受光ユニットが低廉であるため、その低廉な受光ユニットを撮影装置に配備することで撮影装置のコストアップが抑制される。
【００１７】
このようにコストアップを抑えようとして撮影装置に上記本発明の受光ユニットを配備した場合には、
撮影光学系を備え、その撮影光学系を経由して入射してきた被写体光を捉えて画像信号を生成する撮影装置であって、
上記撮影光学系を経由して入射してきた被写体光を緑色波長帯の反射被写体光と赤色波長帯および青色波長帯の透過被写体光とに分離するダイクロイックミラー、その反射被写体光を受光して緑色用の画像信号を生成する第1の撮像素子、およびその透過被写体光を受光して赤色用の画像信号と青色用の画像信号を生成する第２の撮像素子を有する受光ユニットを備えたことを特徴とする。
【００１８】
ここで上記第１の撮像素子で得られた画像信号を基に上記撮影光学系のピント調整を行なう測距装置を備えた態様であることが好ましく、その第１の撮像素子がＣＭＯＳ撮像素子であることが望ましい。
【００１９】
さらに上記測距装置は、上記ＣＭＯＳ撮像素子からそのＣＭＯＳ撮像素子の被写体光の受光領域のうちの１つもしくは複数の部分領域に対応した部分画像信号のみを読み出しその部分画像信号に基づいて上記撮影光学系のピント調整を行なうものであることが好ましい。
【００２０】
また、この撮影装置は、上記撮影光学系と上記受光ユニットとを有するカメラヘッドと、そのカメラヘッドが着脱自在に装着され該カメラヘッドから画像信号を受け取って信号処理を行なうカメラ本体とを備えた撮影装置であっても良く、上記カメラヘッドが、上記第１の撮像素子で得られた画像信号を基に上記撮影光学系のピント調整を行なう測距装置を備えたものであっても良い。
【発明の効果】
【００２１】
以上、説明したように、高速シャッタを用いたとしても輝度不足が発生しにくい高感度特性を持つ、低廉な受光ユニット、およびその低廉な受光ユニットを配備することでコストアップを抑えた撮影装置が実現される。
【発明を実施するための最良の形態】
【００２２】
以下、本発明の実施の形態について説明する。
【００２３】
図１は、本発明の一実施形態である受光ユニットを示す図である。
【００２４】
図１に示す受光ユニット１０ａは多面体であるプリズム１１ａ，１２ａを２つ備えたものであって、一方のプリズム１１ａが持つ多面のうちの一面１１０１ａと他方のプリズム１２ａが持つ多面のうちの一面１２２ａとが接合されるように張り合わされている。この実施形態では、入射光を緑色波長帯の光（以降Ｇ光という）と赤色波長帯の光（以降Ｒ光という）と青色波長帯の光（以降Ｂ光という）とに分離するにあたって、Ｇ光が反射するとともにＲ光及びＢ光が透過するダイクロイックミラー１３ａが、２つのプリズム１１ａ，１２ａの面同士が接合されるように張り合わされたところに挟み込まれている。
【００２５】
ここで、そのダイクロイックミラー１３ａと２つのプリズム１１ａ，１２ａの作用をそれぞれ説明する。
【００２６】
ダイクロイックミラー１３ａはＧ光を反射する反射膜がコーティングされたものであって、第１のプリズム１１ａの入射面１１０ａに入射した入射光がプリズム中を進行してきてそのダイクロイックミラー１３ａまでくると、そのダイクロイックミラー１３ａの表面で入射光の中のＧ光のみが反射される。このダイクロイックミラー１３ａで反射したＧ光は、逆行し始めて入射光とは逆の方向から入射面に近づいていくようになる。本実施形態においては、プリズム１１ａ，１２ａ同士が接合されている接合面１１０１ａ側から入射面側に逆行してきた光が入射面１１０ａに達したときにはその入射面１１０ａで全反射が起きるように空気層の屈折率（ｎair）と第１のプリズムの屈折率（ｎp1）に基づいて接合面１１０１ａの角度と入射面１１０ａの角度が設定されている。このため、その入射面１１０ａに逆行してきたＧ光は入射面１１０ａで全反射される。その入射面で全反射されたＧ光の進行方向には第１の撮像素子１１１ａが配備されており、Ｇ光はその第１の撮像素子１１１ａで受光されることとなる。
【００２７】
また、ダイクロイックミラー１３ａを透過したＧ光以外の透過光（Ｒ光、Ｂ光）は、もう一つのプリズム１２ａの端部に形成されているミラー１２３ａで反射されて接合面側に向かって逆行し始めるようになる。先ほどと同様に今度は接合面１２２ａで全反射が起こるように第２のプリズム１２ａの屈折率（ｎp2）とダイクロイックミラー１３ａの屈折率（ｎd1）に基づいてミラー１２３ａの角度と接合面１２２ａの角度が設定されているので、この接合面１２２ａに入射したＲ光、Ｂ光が全反射されて第２の撮像素子１２１ａで受光されることとなる。この第２の撮像素子１２１ａの表面にはＲフィルタとＢフィルタとが交互に配列されているので、それらのフィルタによりＲ光とＧ光とが分けて受光される。
【００２８】
このようにダイクロイックミラー１３ａの反射光であるＧ光が第１の撮像素子１１１ａで受光されるとともに、ダイクロイックミラー１３ａの透過光がこの第２の撮像素子１２１ａの表面に配置されているフィルタにより赤色波長帯の光であるＲ光と青色波長帯の光であるＢ光とに分けて受光される。
【００２９】
このような構成によりＧ光が第１の撮像素子に感度良く受光されるようになると、Ｇ光についてはいままでの３板式と同じように高感度特性を持つとともに、一板少ない分、３板式よりは低廉な受光ユニットが実現される。
【００３０】
このような低廉な受光ユニットを配備することで撮影装置のコストアップを抑制することができる。
【００３１】
図２は、撮影装置の一例としてカメラヘッドが着脱自在にカメラ本体に装着されるカメラシステムを掲げた図である。
【００３２】
図２には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。この例においては、カメラヘッド１ａ内に、図１の受光ユニット１０ａが設けられ、さらにその受光ユニット１０ａの第１の撮像素子１１１ａを用いた測距装置が設けられている。この測距装置の構成については後述する。
【００３３】
ここでこのカメラシステムを構成するカメラヘッドとカメラ本体の外観構造を簡単に説明する。
【００３４】
カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。
【００３５】
この多数のマウント接点の中のそれぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。
【００３６】
このヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出されると後述するデジタル信号処理部に適正な色温度が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとかが選択される。なお、図１には複数のカメラヘッドのうちの一つが例として、また複数の本体のうちの一つが例としてそれぞれ示されている。
【００３７】
ここで図３を参照してカメラヘッド１ａの内部の構成を説明する。
【００３８】
図３はカメラヘッド１ａの内部構成を示すブロック図である。
【００３９】
図３には図１で説明した受光ユニット１０ａとその受光ユニット１０ａが備える第１の撮像素子１１１ａを用いた測距装置１００と撮影光学系の中のフォーカスレンズ１１８ａが示されている。なお、この撮影光学系には、そのフォーカスレンズを含む撮影レンズが配備されており、さらに絞りなども配備されている。また図示はしていないが、ＣＣＤ用撮像処理回路１１９ａ、ＣＯＭＳ用撮像回路１１２ａから出力される画像信号をカメラ本体１ｂ側へ供給するインターフェースも配備されている。そのインターフェースはカメラ本体１ｂ側にも配備されていて、そのインターフェースにより画像信号をカメラ本体１ｂで受け取ってカメラ本体１ｂ内の信号処理部で信号処理が行なわれるようになっている。そのカメラ本体側で信号処理された画像信号に基づく画像が表示画面に表示されたり、記録媒体に記録されたりする。
【００４０】
ここでカメラヘッド１ａ内の測距装置１００の構成を説明する。
【００４１】
図３に示す測距装置１００は、演算処理回路１１５ａと、その演算処理回路１１５ａを制御手段として、その演算処理回路１１５ａに、コントラストを算出させるための画像信号を供給する第１の撮像素子１１１ａ、ＣＭＯＳ用撮像回路１１２ａ、ＢＰＦ（Ｂａｎｄ  Ｐａｓｓ  Ｆｉｌｔｅｒの略  ）回路１１３ａ、そしてＡ／Ｄ変換回路１１４ａと、その演算回路１１５ａからの指示にしたがって合焦モータ１１７ａを駆動するモータドライブ回路１１６ａとを備えている。
【００４２】
この測距装置１００を作動させるにあたって、まず、演算処理回路１１５ａがモータドライブ回路１１６ａに指示を出して合焦モータ１１７ａに撮影光学系の中のフォーカスレンズ１１８ａを、被写体距離の最至近点に対応する位置から最遠点に対応する位置まで光軸に沿って駆動させる。演算処理回路１１５ａは、フォーカスレンズ１０８ａを駆動させている間に、ＣＭＯＳ用撮像回路１１２ａから第１の撮像素子であるＣＭＯＳ側撮像素子１１ａに向けてタイミング信号を所定の時刻ごとに供給するように指示を出してそのタイミング信号に応じて所定の時刻ごとにＣＭＯＳ撮像素子１１１ａからＣＭＯＳ撮像素子回路１１２ａへ緑用の画像信号を出力させる。このＣＭＯＳ用撮像回路１１２ａはその緑用の画像信号を受けてその緑用の画像信号に乗っているノイズを除去するためにさらにＢＰＦ回路１１３ａへその緑用の画像信号を供給する。ＢＰＦ１１３ａでは、その緑用の画像信号を受けて、その緑用の画像信号の中に在る緑色波長帯以外の波長帯の光に基づく画像信号を不要信号として除去して純度の高い緑用の画像信号を生成して、Ａ／Ｄ変換回路１１４ａへ供給してさらに演算処理回路１１５ａへと供給する。演算処理回路１１５ａではその緑色用の画像信号に基づいて被写体と背景つまり被写界との間の輝度比をコントラストとして算出してそのコントラストが最も大きく現れるところに被写体が位置しているとするコントラストＡＦ（Ａｕｔｏ  Ｆｏｃｕｓ）演算を行なう。このようにしてこの演算処理回路１１５ａでフォーカスレンズ１０８ａを駆動すべき位置が演算される。なおこの図３には演算処理回路１１５ａでコントラストＡＦ演算を行なうことを示すため、ブロック的に演算処理回路１１５ａでコントラストＡＦが行なわれているということが示されている。
【００４３】
このコントラストＡＦ演算により所定の時刻ごとに得た画像信号から、フォーカスレンズを含む撮影レンズが捉えている被写体の位置（被写体距離）を求めたら、その求めた被写体距離に対応するピント位置を、フォーカスレンズの駆動位置として定めて、そのピント位置に駆動するようにモータドライブ回路１１６ａに指示を出し、合焦モータ１０７ａによりフォーカスレンズ１０８ａをその駆動位置に配置する。
【００４４】
本実施形態では、第１の撮像素子１１１ａとしてＣＯＭＳ撮像素子を用いているが、このＣＭＯＳ撮像素子１１１ａでは、ＣＣＤ撮像素子がラインごとに読み出しを行なわなければならないのに対し、部分領域ごとに別々に読み出しが行なえる。このため、被写体中央のみの測距だけでなく受光領域内の複数の部分領域を用いた多点測距も行なえる。
【００４５】
図４は、第１の撮像素子であるＣＭＯＳ型撮像素子１１１ａの受光領域を示す図である。
【００４６】
図４に示すように、ＣＭＯＳ撮像素子１１１ａの被写体光の受光領域１１１０ａ内に複数の部分領域１１１１ａ〜１１１７ａが設定されている。これらの部分領域１１１１ａ〜１１１７ａからそれらの部分領域に対応した部分画像信号（Ｇ光）のみを読み出しその部分画像信号に基づいて撮影光学系のピント調整を行なうことができる。
【００４７】
これらの部分領域からそれぞれ緑色用の部分画像信号を読み出して演算処理回路でこれらの部分画像信号に基づいて多点測距を行なうと、例えば２人の人が離れて並んでいるような被写体を図２の撮影装置で撮影しようしたときに測距装置１００が、離れて並んでいる２人の人物の中央つまり無限遠にピントを合わせてしまうようなことが防止される。
【００４８】
以上説明したように、上記第１の撮像素子が非常に高感度なので高速シャッタを用いたとしても輝度不足が発生しにくい受光ユニットが実現される。さらに３板式の受光ユニットに比べて一板少ない分、低廉化された受光ユニットを撮影装置に配備することでコストアップを抑えた撮影装置が実現される。
【００４９】
また、光軸方向の厚みをなるべく薄くするため、２つのプリズムを図３に示す如く張り合わせたが、図５に示すようにすると構成がさらに簡単になり、受光ユニットのさらなる低廉化が図れる。
【００５０】
図５は、図３に示す受光ユニットの別の実施形態を示す図である。
【００５１】
図５に示すように２つのプリズム２１ａ，２２ａを張り合わせるようにすると、光軸方向の厚さが図３のものに比べて若干厚くなりはするものの、構造が簡略化されてより一層の低廉化が図れる。光軸方向の厚さが少々厚くなってもよければこのような構成にすると、受光ユニット、延いては撮影装置のさらなる低廉化が図れる。
【図面の簡単な説明】
【００５２】
【図１】本発明の一実施形態である受光ユニットを示す図である。
【図２】本発明の受光ユニットが配備されたカメラヘッドとカメラ本体とを備えた撮影装置の外観を示す図である。
【図３】カメラヘッド内に配備された測距装置の構成を示すブロック図である。
【図４】多数の部分領域で多点測距を行なう場合の動作を説明する図である。
【図５】受光ユニットの別の実施形態を示す図である。
【符号の説明】
【００５３】
１  カメラシステム
１ａ  カメラヘッド
１０ａ    受光ユニット
１１ａ    第１のプリズム
１１０ａ    入射面
１１１ａ    第１の撮像素子（ＣＭＯＳ型撮像素子）
１１１０ａ    受光領域
１１１１ａ〜１１１７ａ    部分領域
１２ａ    第２のプリズム
１２０ａ    第２の撮像素子（ＣＣＤ型撮像素子）
１３ａ    ダイクロイックミラー
１ｂ    カメラ本体
１０ｂ    ヘッドマウント
１１ｂ    ＡＷＢセンサ
１２ｂ    閃光発光窓
１３ｂ    シャッタ釦
１４ｂ    モードダイヤル
１００    測距装置
１１２ａ  ＣＭＯＳ用撮像回路
１１３ａ    ＢＰＦ回路
１１４ａ    Ａ／Ｄ変換回路
１１５ａ    演算処理回路
１１６ａ    モータドライブ回路
１１７ａ    合焦モータ
１１８ａ    フォーカスレンズ
【図１】
2006080986.tif 000003
【図２】
2006080986.tif 000004
【図３】
2006080986.tif 000005
【図４】
2006080986.tif 000006
【図５】
2006080986.tif 000007